(57)【要約】【課題】音声信号の再送を簡易に実行する技術を提供する。【解決手段】入力部２０は、音声信号を入力する。生成部２６は、入力した音声信号を記録する。送信部３０は、入力した音声信号を送信する。生成部２６は、送信部３０が音声信号の送信を開始した送信開始時刻と、音声信号のサイズとをもとに送信情報を生成する。送信部３０は、生成した送信情報を送信する。受付部２８は、送信した音声信号と送信情報とが受信装置において受信された場合に、受信を開始した受信開始時刻と音声信号のサイズをもとに受信情報が生成されると、受信情報と送信情報との比較結果に応じた再送要求を受信装置から受けつける。送信部３０は、受付部２８が再送要求を受けつけた場合、記録部２４に記録した音声信号を送信する。【選択図】図２
2016225770.tif 000002
【特許請求の範囲】
【請求項１】
音声信号を入力する入力部と、
前記入力部において入力した音声信号を記録する記録部と、
前記入力部において入力した音声信号を送信する送信部と、
前記送信部が音声信号の送信を開始した送信開始時刻と、音声信号のサイズとをもとに送信情報を生成し、生成した送信情報を前記送信部に送信させる生成部と、
前記送信部において送信した音声信号と送信情報とが受信装置において受信された場合に、受信を開始した受信開始時刻と音声信号のサイズをもとに受信情報が生成されると、受信情報と送信情報との比較結果に応じた再送要求を前記受信装置から受けつける受付部とを備え、
前記送信部は、前記受付部が再送要求を受けつけた場合、前記記録部に記録した音声信号を送信することを特徴とする送信装置。
【請求項２】
前記送信部は、音声信号と送信情報とを別々に送信することを特徴とする請求項１に記載の送信装置。
【請求項３】
音声信号が記録される送信装置からの音声信号を受信するとともに、前記送信装置において生成された送信情報であって、かつ音声信号の送信を開始した送信開始時刻と、音声信号のサイズをもとに生成された送信情報を受信する受信部と、
前記受信部において受信した音声信号を再生する再生部と、
前記再生部において再生される音声信号のサイズと、前記受信部において受信を開始した受信開始時刻とをもとに、受信情報を生成する生成部と、
前記生成部において生成した受信情報と、前記受信部において受信した送信情報との比較結果に応じて、前記送信装置に再送を要求する要求部とを備え、
前記受信部は、前記要求部が再送を要求すると、前記送信装置に記録された音声信号を受信することを特徴とする受信装置。
【請求項４】
前記生成部は、音声信号の品質がしきい値よりも良好である場合に、音声信号のサイズを取得することを特徴とする請求項３に記載の受信装置。
【請求項５】
音声信号を入力するステップと、
入力した音声信号を記録するステップと、
入力した音声信号を送信するステップと、
音声信号の送信を開始した送信開始時刻と、音声信号のサイズとをもとに送信情報を生成し、生成した送信情報を送信するステップと、
送信した音声信号と送信情報とが受信装置において受信された場合に、受信を開始した受信開始時刻と音声信号のサイズをもとに受信情報が生成されると、受信情報と送信情報との比較結果に応じた再送要求を前記受信装置から受けつけるステップと、
再送要求を受けつけた場合、記録した音声信号を送信するステップと、
を備えることを特徴とする送信方法。
【請求項６】
音声信号が記録される送信装置からの音声信号を受信するとともに、前記送信装置において生成された送信情報であって、かつ音声信号の送信を開始した送信開始時刻と、音声信号のサイズをもとに生成された送信情報を受信するステップと、
受信した音声信号を再生するステップと、
再生される音声信号のサイズと、受信を開始した受信開始時刻とをもとに、受信情報を生成するステップと、
生成した受信情報と、受信した送信情報との比較結果に応じて、前記送信装置に再送を要求するステップと、
再送を要求すると、前記送信装置に記録された音声信号を受信するステップと、
を備えることを特徴とする受信方法。
【請求項７】
入力した音声信号を記録するとともに、入力した音声信号を送信する送信装置と、
前記送信装置からの音声信号を受信するとともに、受信した音声信号を再生する受信装置とを備え、
前記送信装置は、音声信号の送信を開始した送信開始時刻と、音声信号のサイズとをもとに送信情報を生成し、生成した送信情報を送信し、
前記受信装置は、再生される音声信号のサイズと、受信を開始した受信開始時刻とをもとに、受信情報を生成するとともに、受信情報と送信情報との比較結果に応じて、前記送信装置に再送を要求し、
前記送信装置は、再送を要求された場合、記録した音声信号を送信することを特徴とする通信システム。
【発明の詳細な説明】
【技術分野】
【０００１】
本発明は、通信技術に関し、特に音声信号を再送する送信装置、受信装置、送信方法、受信方法、通信システムに関する。
【背景技術】
【０００２】
無線電話装置は、無線基地局の通信圏内に存在している場合に、発信可能および着信可能である。一方、通信圏外において、無線電話装置は、通信不可能であるので、通信圏外にある旨を表示することによって、ユーザに通信不可能を通知している。このような場合、ユーザは表示を確認してから発信を行う必要があり、ユーザの負担が大きくなる。負担を軽減するために、通信圏外に存在する場合に音声メッセージが録音され、通信圏内に進入すると、録音された音声メッセージが送信される（例えば、特許文献１）。
【先行技術文献】
【特許文献】
【０００３】
【特許文献１】特開平１１−２８５０６８号公報
【発明の概要】
【発明が解決しようとする課題】
【０００４】
送信装置と受信装置とが無線回線にて接続されている場合、無線回線の品質が変動しているので、送信装置が音声信号を送信している間に無線回線の品質が悪化してしまうことがあり得る。そのため、受信装置がすべての音声信号を受信できているかを確認し、受信できていない場合に音声信号を再送するための機能が必要になる。一方、このような再送機能は簡易に実行される方が望ましい。
【０００５】
本発明はこうした状況に鑑みてなされたものであり、その目的は、音声信号の再送を簡易に実行する技術を提供することである。
【課題を解決するための手段】
【０００６】
上記課題を解決するために、本発明のある態様の送信装置は、音声信号を入力する入力部と、入力部において入力した音声信号を記録する記録部と、入力部において入力した音声信号を送信する送信部と、送信部が音声信号の送信を開始した送信開始時刻と、音声信号のサイズとをもとに送信情報を生成し、生成した送信情報を送信部に送信させる生成部と、送信部において送信した音声信号と送信情報とが受信装置において受信された場合に、受信を開始した受信開始時刻と音声信号のサイズをもとに受信情報が生成されると、受信情報と送信情報との比較結果に応じた再送要求を受信装置から受けつける受付部とを備える。送信部は、受付部が再送要求を受けつけた場合、記録部に記録した音声信号を送信する。
【０００７】
本発明の別の態様は、受信装置である。この装置は、音声信号が記録される送信装置からの音声信号を受信するとともに、送信装置において生成された送信情報であって、かつ音声信号の送信を開始した送信開始時刻と、音声信号のサイズをもとに生成された送信情報を受信する受信部と、受信部において受信した音声信号を再生する再生部と、再生部において再生される音声信号のサイズと、受信部において受信を開始した受信開始時刻とをもとに、受信情報を生成する生成部と、生成部において生成した受信情報と、受信部において受信した送信情報との比較結果に応じて、送信装置に再送を要求する要求部とを備える。受信部は、要求部が再送を要求すると、送信装置に記録された音声信号を受信する。
【０００８】
本発明のさらに別の態様は、送信方法である。この方法は、音声信号を入力するステップと、入力した音声信号を記録するステップと、入力した音声信号を送信するステップと、音声信号の送信を開始した送信開始時刻と、音声信号のサイズとをもとに送信情報を生成し、生成した送信情報を送信するステップと、送信した音声信号と送信情報とが受信装置において受信された場合に、受信を開始した受信開始時刻と音声信号のサイズをもとに受信情報が生成されると、受信情報と送信情報との比較結果に応じた再送要求を受信装置から受けつけるステップと、再送要求を受けつけた場合、記録した音声信号を送信するステップと、を備える。
【０００９】
本発明のさらに別の態様は、受信方法である。この方法は、音声信号が記録される送信装置からの音声信号を受信するとともに、送信装置において生成された送信情報であって、かつ音声信号の送信を開始した送信開始時刻と、音声信号のサイズをもとに生成された送信情報を受信するステップと、受信した音声信号を再生するステップと、再生される音声信号のサイズと、受信を開始した受信開始時刻とをもとに、受信情報を生成するステップと、生成した受信情報と、受信した送信情報との比較結果に応じて、送信装置に再送を要求するステップと、再送を要求すると、送信装置に記録された音声信号を受信するステップと、を備える。
【００１０】
本発明のさらに別の態様は、通信システムである。この通信システムは、入力した音声信号を記録するとともに、入力した音声信号を送信する送信装置と、送信装置からの音声信号を受信するとともに、受信した音声信号を再生する受信装置とを備える。送信装置は、音声信号の送信を開始した送信開始時刻と、音声信号のサイズとをもとに送信情報を生成し、生成した送信情報を送信し、受信装置は、再生される音声信号のサイズと、受信を開始した受信開始時刻とをもとに、受信情報を生成するとともに、受信情報と送信情報との比較結果に応じて、送信装置に再送を要求し、送信装置は、再送を要求された場合、記録した音声信号を送信する。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、音声信号の再送を簡易に実行できる。
【図面の簡単な説明】
【００１３】
【図１】本発明の実施例に係る通信システムの構成を示す図である。
【図２】図１の基地局装置の構成を示す図である。
【図３】図１の端末装置の構成を示す図である。
【図４】図１の通信システムによる第１例の送信手順を示すシーケンス図である。
【図５】図１の通信システムによる第２例の送信手順を示すシーケンス図である。
【図６】図１の通信システムによる第３例の送信手順を示すシーケンス図である。
【図７】図１の通信システムによる第４例の送信手順を示すシーケンス図である。
【図８】図１の通信システムによる第５例の送信手順を示すシーケンス図である。
【図９】図１の通信システムによる第６例の送信手順を示すシーケンス図である。
【図１０】図１の通信システムによる第７例の送信手順を示すシーケンス図である。
【図１１】図２の基地局装置による送信手順を示すフローチャートである。
【図１２】図３の端末装置による受信手順を示すフローチャートである。
【発明を実施するための形態】
【００１４】
本発明を具体的に説明する前に、まず概要を述べる。本発明の実施例は、業務用無線に対応した無線システムであり、かつ基地局装置と複数の端末装置とを含む無線システムに関する。業務用無線は、予め定められた無線のチャネルにおいて音声通信を実行する。音声通信の一例がＰＴＴ（Ｐｕｓｈ  ｔｏ  Ｔａｌｋ）である。ＰＴＴでは、端末装置を使用するユーザが、会話開始時にボタンを押し、会話終了時にボタンを解放する。また、業務用無線では、複数の端末装置によってグループを形成することも可能である。業務用無線の基地局装置は、グループに対して、上りチャネルと下りチャネルを割り当てる。このような状況下において、グループ中の１つの端末装置が、上りチャネルにて音声信号を送信し、グループ中の他の端末装置が、下りチャネルにて音声信号を受信する。
【００１５】
本実施例では、このような業務用無線において、基地局装置から複数の端末装置に音声信号を一斉配信する場合を想定する。この場合、少なくとも１つの端末装置と基地局装置との間の無線回線の品質が悪化すると、当該端末装置において、通信切断、音声信号の内容が不明瞭、受信機会の喪失などの障害が発生しうる。このような障害に対応するためには、端末装置における受信確認と、送信装置からの再送が必要になる。端末装置における音声信号の受信確認をユーザが行う場合、ユーザの負担が大きくなり、一時的な音声通信は可能であるが、音声通信を継続させることが困難になる。また、基地局装置は、各端末装置からの再送要求に対応する必要があり、基地局装置側のオペレータへの負担が大きくなる。さらに、基地局装置から音声信号が配信された際、通信圏外である端末装置はその配信自体を認知できず、受信機会そのものを喪失してしまう。
【００１６】
これらに対応するために、本実施例に係る基地局装置は、音声信号を送信するとともに、当該音声信号を記録する。また、基地局装置は、音声信号の送信開始時刻と、記録した音声信号の時間とをもとに送信情報を生成し、送信情報も送信する。一方、端末装置は、受信した音声信号を再生するとともに、当該音声信号を記録する。また、端末装置は、音声信号の受信開始時刻と、記録した音声信号の時間とをもとに受信情報を生成する。端末装置は、受信した送信情報と、生成した受信情報とを比較する。比較結果に応じて、端末装置は、基地局装置に音声信号の再送を要求する。
【００１７】
ここで、基地局装置および端末装置は、いずれもＧＰＳ（Ｇｌｏｂａｌ  Ｐｏｓｉｔｉｏｎｉｎｇ  Ｓｙｓｔｅｍ）衛星等からの時刻情報を取得して、取得した時刻情報をもとに動作を実行している。そのため、基地局装置における時刻と端末装置における時刻とは、同期しているので、送信開始時刻と受信開始時刻も同期している。なお、基地局装置における時刻と端末装置における時刻との同期には、これ以外の公知の技術が利用されてもよい。
【００１８】
図１は、本発明の実施例に係る通信システム１００の構成を示す。通信システム１００は、基地局装置１０、端末装置１２と総称される第１端末装置１２ａ、第２端末装置１２ｂ、第３端末装置１２ｃ、第Ｎ端末装置１２ｎを含む。
【００１９】
基地局装置１０は、業務用無線のシステムに対応した基地局装置である。業務用無線については公知の技術が使用されればよいので、ここでは説明を省略する。基地局装置１０は、一端側において、業務用無線により複数の端末装置１２を接続し、他端側において、図示しないネットワークを接続する。ネットワークは、基地局装置１０と図示しない他の基地局装置とを接続する。複数の端末装置１２のそれぞれは、業務用無線による通信を実行可能な装置である。本実施例では、基地局装置１０が音声信号の送信側に相当し、複数の端末装置１２のそれぞれが音声信号の受信側に相当する。そのため、音声通信に関して、基地局装置１０が「送信装置」といえ、端末装置１２が「受信装置」といえる。
【００２０】
基地局装置１０には、オペレータにより音声信号が入力する。基地局装置１０は、入力した音声信号を記録するとともに、入力した音声信号を送信する。ここで、音声信号の送信は、複数の端末装置１２への一斉配信によってなされる。基地局装置１０は、音声信号の送信を開始した送信開始時刻と、記録した音声信号の時間とをもとに送信情報を生成する。さらに、基地局装置１０は、生成した送信情報も複数の端末装置１２に送信する。
【００２１】
複数の端末装置１２のそれぞれは、基地局装置１０からの音声信号と送信情報とを受信するとともに、受信した音声信号を再生する。各端末装置１２は、音声信号の時間と、受信を開始した受信開始時刻とをもとに、受信情報を生成する。また、各端末装置１２は、受信情報と送信情報との比較結果に応じて、基地局装置１０に再送を要求する。基地局装置１０は、再送を要求された場合、記録した音声信号を送信する。つまり、基地局装置１０は、音声信号を再送する。
【００２２】
図２は、基地局装置１０の構成を示す。基地局装置１０は、入力部２０、通信部２２、記録部２４、生成部２６、受付部２８を含み、通信部２２は、送信部３０、受信部３２を含む。基地局装置１０は、送話側の処理を実行するので、前述のごとく、「送信装置」といえる。
【００２３】
入力部２０は、図示しないオペレータからの音声信号を入力する。音声信号は、例えばデジタル信号である。入力部２０は、入力した音声信号を記録部２４、送信部３０に出力する。記録部２４は、デジタル信号を記録可能な記録媒体である。記録部２４は、入力部２０からの音声信号を入力し、入力した音声信号を記録する。ここでの音声信号には、有音部分と無音部分が混在してもよい。
【００２４】
送信部３０は、入力部２０からの音声信号を入力する。送信部３０は、入力した音声信号に対して符号化を実行する。符号化には公知の技術が使用されればよいので、ここでは説明を省略する。送信部３０は、複数の端末装置１２に対して業務用無線による送信を実行可能であり、符号化した音声信号（以下、これもまた「音声信号」という）を複数の端末装置１２に送信する。そのため、送信部３０は、変調処理、周波数変換処理、増幅処理等を実行する。また、送信部３０は、音声信号の送信を開始した時刻（以下、「送信開始時刻」という）を生成部２６に出力する。
【００２５】
生成部２６は、送信部３０から送信開始時刻を入力する。送信開始時刻を入力すると、生成部２６は、記録部２４における音声信号の記録が終了した場合に、記録部２４における音声信号の記録時間を取得する。なお、音声信号の記録時間の代わりに、音声信号の記録容量が取得されてもよい。音声信号の記録時間、音声信号の記録容量は、音声信号のサイズといえる。生成部２６は、送信開始時刻と、音声信号のサイズとをもとに送信情報を生成する。送信情報の形式については後述する。生成部２６は、送信情報を記録部２４、送信部３０に出力する。記録部２４は、記録した音声信号に対応づけて、送信情報を記録する。
【００２６】
送信部３０は、生成部２６からの送信情報を入力すると、送信情報を複数の端末装置１２に送信する。ここで、送信部３０は、音声信号と送信情報とを別々に送信する。例えば、送信部３０は、音声信号の終了後、所定の期間が経過してから送信情報を送信する。なお、送信される送信情報には、これまで送信した複数の音声信号のそれぞれに対する送信情報が合成されていてもよい。
【００２７】
受信部３２は、複数の端末装置１２に対して業務用無線による受信を実行可能であるが、ここでは、少なくとも１つの端末装置１２からの再送要求を受信する。受信部３２は、増幅処理、周波数変換処理、復調処理等を実行する。また、受信部３２は、受信した再送要求を受付部２８に出力する。
【００２８】
受付部２８は、受信部３２からの再送要求を入力する。詳細は後述するが、送信部３０において送信した音声信号と送信情報とが端末装置１２において受信された場合、端末装置１２は、受信を開始した受信開始時刻と音声信号のサイズをもとに受信情報を生成する。さらに、端末装置１２は、受信情報と送信情報との比較結果に応じた再送要求を送信する。そのため、受付部２８は、端末装置１２からの再送要求を受けつけるといえる。この再送要求には、端末装置１２が再送を要求する音声信号に対応した送信情報が示される。受付部２８は、再送要求を記録部２４に出力する。
【００２９】
記録部２４は、受付部２８からの再送要求を入力すると、再送要求によって示された送信情報を取得する。記録部２４は、複数の送信情報を記録しており、その中から、取得した送信情報に対応した送信情報を特定する。記録部２４は、特定した送信情報に対応した音声信号を選択して、選択した音声信号を送信部３０に出力する。また、記録部２４は、音声信号を出力した後、特定した送信情報を送信部３０に出力する。送信部３０は、これまでと同様に、記録部２４からの音声信号を送信してから、記録部２４からの送信情報を送信する。つまり、送信部３０は、受付部２８が再送要求を受けつけた場合、記録部２４に記録した音声信号を送信する。
【００３０】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３１】
図３は、端末装置１２の構成を示す。端末装置１２は、通信部４０、再生部４２、記録部４４、生成部４６、要求部４８を含み、通信部４０は、受信部５０、送信部５２を含む。前述のごとく、端末装置１２は、受話側の処理を実行するので、前述のごとく、「受信装置」といえる。
【００３２】
受信部５０は、基地局装置１０との間で業務用無線による受信を実行可能であり、音声信号が記録される基地局装置１０からの音声信号を受信する。そのため、受信部５０は、増幅処理、周波数変換処理、復調処理等を実行する。受信部５０は、受信した音声信号を復号し、復号した音声信号（以下、これもまた「音声信号」という）を再生部４２に出力する。復号には公知の技術が使用されればよいので、ここでは説明を省略する。また、受信部５０は、音声信号の受信を開始した時刻（以下、「受信開始時刻」という）を生成部４６に出力する。さらに、受信部５０は、音声信号に続けて、基地局装置１０からの送信情報も受信する。前述のごとく、送信情報は、送信開始時刻と、音声信号のサイズとをもとに生成されている。受信部５０は、受信した送信情報を要求部４８に出力する。
【００３３】
再生部４２は、受信部５０からの音声信号を入力し、入力した音声信号を再生する。音声信号の再生には公知の技術が使用されればよいので、ここでは説明を省略する。再生部４２は、再生した音声を図示しないスピーカから出力する。記録部４４は、受信部５０における音声信号の復号が成功した場合に、復号した音声信号であって、かつ再生部４２において再生される音声信号を記録する。ここでの音声信号は、復号した区間の有音、無音問わず、記録部２４と同じ形式を有する。
【００３４】
生成部４６は、受信部５０からの受信開始時刻を入力する。受信開始時刻を入力すると、生成部４６は、記録部４４における音声信号の記録が終了した場合に、記録部４４における音声信号の記録時間を取得する。なお、生成部２６と同様に、音声信号の記録時間の代わりに、音声信号の記録容量が取得されてもよい。音声信号の記録時間、音声信号の記録容量は、音声信号のサイズといえる。つまり、生成部４６は、音声信号の品質がしきい値よりも良好である場合に、音声信号のサイズを取得する。生成部４６は、受信開始時刻と、音声信号のサイズとをもとに受信情報を生成する。生成部４６は、受信情報を要求部４８に出力する。
【００３５】
要求部４８は、生成部４６からの受信情報を入力するとともに、受信部５０からの送信情報を入力する。要求部４８は、受信情報と送信情報とを比較する。具体的に説明すると、要求部４８は、受信開始時刻と送信開始時刻とを比較するとともに、受信情報における音声信号のサイズ（以下、「受信サイズ」という）と、送信情報における音声信号のサイズ（以下、「送信サイズ」という）とを比較する。例えば、受信開始時刻と送信開始時刻とが一致し、かつ受信サイズと送信サイズとが一致すれば、要求部４８は、再送を要求しないことを決定する。一方、少なくともいずれか一方が一致しなければ、要求部４８は、再送の要求を決定する。なお、受信開始時刻と送信開始時刻とが一致するか否かを判定する代わりに、受信開始時刻と送信開始時刻との差が所定の範囲に収まっているか否かを判定してもよい。また、受信サイズと送信サイズとが一致するか否かを判定する代わりに、受信サイズと送信サイズとの差が所定の範囲に収まっているか否かを判定してもよい。要求部４８は、再送の要求を決定した場合、再送要求を送信部５２に出力する。再送要求には、比較対象となった送信情報の内容が含まれる。
【００３６】
送信部５２は、要求部４８からの再送要求を送信する。送信部５２は、基地局装置１０への業務用無線による送信を実行可能であるが、ここでは、基地局装置１０への再送要求を送信する。送信部５２は、変調処理、周波数変換処理、増幅処理等を実行する。受信部５０は、要求部４８が再送要求を送信した後、基地局装置１０に記録された音声信号、送信情報を受信する。受信した音声信号と送信情報は、これまでと同様に処理される。
【００３７】
以下では、通信システム１００における基地局装置１０、端末装置１２における処理のさまざまなパターンを図４から図１０を使用しながら説明する。図４は、通信システム１００による第１例の送信手順を示すシーケンス図である。これは、基地局装置１０からの音声信号を端末装置１２が正常に受信する場合を示す。基地局装置１０は、「３月１０日１１時００分００秒」に音声信号の送信を開始する（Ｓ１０）。基地局装置１０は、３０秒間にわたって音声信号を送信し（Ｓ１２）、端末装置１２は、３０秒間にわたって音声信号を受信する（Ｓ１４）。基地局装置１０は、音声信号を「０３１０＿１１００００＿３０．ｗａｖ」として記録する（Ｓ１６）。ここで、記録した音声信号の名称は、「月・日＿時・分・秒＿記録時間」の規則で生成される。また、端末装置１２は、音声信号を「０３１０＿１１００００＿３０．ｗａｖ」として記録する（Ｓ１８）。
【００３８】
基地局装置１０は、送信情報を「０３１０＿１１００００＿３０．ｗａｖ」として生成する（Ｓ２０）。送信情報は、記録した音声信号のファイル名と同一にされる。基地局装置１０は、送信情報を端末装置１２に送信する（Ｓ２２）。一方、端末装置１２は、受信情報を「０３１０＿１１００００＿３０．ｗａｖ」として生成する（Ｓ２４）。受信情報も、記録した音声信号のファイル名と同一にされる。端末装置１２は、送信情報と受信情報とに相違がないことを確認する（Ｓ２６）。
【００３９】
図５は、通信システム１００による第２例の送信手順を示すシーケンス図である。これは、基地局装置１０からの音声信号を端末装置１２が受信する際に一部が途切れる場合を示す。基地局装置１０は、「３月１０日１１時００分００秒」に音声信号の送信を開始する（Ｓ４０）。基地局装置１０は、３０秒間にわたって音声信号を送信する（Ｓ４２）。端末装置１２は、１０秒間にわたって音声信号を受信する（Ｓ４４）と通信圏外になる（Ｓ４６）。端末装置１２は、音声信号を「０３１０＿１１００００＿１０．ｗａｖ」として記録する（Ｓ４８）。端末装置１２は、受信情報を「０３１０＿１１００００＿１０．ｗａｖ」として生成するが、送信情報を受信しないので、受信情報を削除する（Ｓ５０）。
【００４０】
端末装置１２は、１０秒間にわたって音声信号を受信する（Ｓ５２）。基地局装置１０は、音声信号を「０３１０＿１１００００＿３０．ｗａｖ」として記録する（Ｓ５４）。また、端末装置１２は、音声信号を「０３１０＿１１００２０＿１０．ｗａｖ」として記録する（Ｓ５６）。基地局装置１０は、送信情報を「０３１０＿１１００００＿３０．ｗａｖ」として生成する（Ｓ５８）。基地局装置１０は、送信情報を端末装置１２に送信する（Ｓ６０）。一方、端末装置１２は、受信情報を「０３１０＿１１００２０＿１０．ｗａｖ」として生成する（Ｓ６２）。端末装置１２は、送信情報と受信情報とに相違があることを確認する（Ｓ６４）。端末装置１２は、基地局装置１０に再送要求を送信する（Ｓ６６）。
【００４１】
基地局装置１０は、再送要求を受信すると、記録した音声信号「０３１０＿１１００００＿３０．ｗａｖ」を再送し（Ｓ６８）、送信を開始する（Ｓ７０）。端末装置１２は、３０秒間にわたって音声信号を受信する（Ｓ７２）。端末装置１２は、音声信号を「０３１０＿１１１０００＿３０．ｗａｖ」として記録し、これを「０３１０＿１１００００＿３０．ｗａｖ」にリネームする（Ｓ７４）。基地局装置１０は、送信情報「０３１０＿１１００００＿３０．ｗａｖ」を取得する（Ｓ７６）。基地局装置１０は、送信情報を端末装置１２に送信する（Ｓ７８）。一方、端末装置１２は、受信情報を「０３１０＿１１００００＿３０．ｗａｖ」として生成する（Ｓ８０）。端末装置１２は、送信情報と受信情報とに相違がないことを確認する（Ｓ８２）。
【００４２】
図６は、通信システム１００による第３例の送信手順を示すシーケンス図である。これは、基地局装置１０からの音声信号を端末装置１２が受信する際に途中から通信圏外になる場合を示す。基地局装置１０は、「３月１０日１１時００分００秒」に音声信号の送信を開始する（Ｓ１００）。基地局装置１０は、３０秒間にわたって音声信号を送信する（Ｓ１０２）。端末装置１２は、２０秒間にわたって音声信号を受信する（Ｓ１０４）と通信圏外になる（Ｓ１０６）。端末装置１２は、音声信号を「０３１０＿１１００００＿２０．ｗａｖ」として記録する（Ｓ１０８）。端末装置１２は、受信情報を「０３１０＿１１００００＿２０．ｗａｖ」として生成するが、送信情報を受信しないので、受信情報を削除する（Ｓ１１０）。
【００４３】
基地局装置１０は、音声信号を「０３１０＿１１００００＿３０．ｗａｖ」として記録する（Ｓ１１２）。基地局装置１０は、送信情報を「０３１０＿１１００００＿３０．ｗａｖ」として生成する（Ｓ１１４）。基地局装置１０は、送信情報を端末装置１２に送信する（Ｓ１１６）。この送信情報は、端末装置１２に受信されない。端末装置１２は、送信情報の送信を基地局装置１０に要求する（Ｓ１１８）。基地局装置１０は、送信情報「０３１０＿１１００００＿３０．ｗａｖ」を取得する（Ｓ１２０）。基地局装置１０は、送信情報を端末装置１２に送信する（Ｓ１２２）。一方、端末装置１２には、受信情報がない（Ｓ１２４）。端末装置１２は、送信情報と受信情報とに相違があることを確認する（Ｓ１２６）。端末装置１２は、基地局装置１０に再送要求を送信する（Ｓ１２８）。
【００４４】
基地局装置１０は、再送要求を受信すると、記録した音声信号「０３１０＿１１００００＿３０．ｗａｖ」を再送し（Ｓ１３０）、送信を開始する（Ｓ１３２）。端末装置１２は、３０秒間にわたって音声信号を受信する（Ｓ１３４）。端末装置１２は、音声信号を「０３１０＿１１１０００＿３０．ｗａｖ」として記録し、これを「０３１０＿１１００００＿３０．ｗａｖ」にリネームする（Ｓ１３６）。基地局装置１０は、送信情報「０３１０＿１１００００＿３０．ｗａｖ」を取得する（Ｓ１３８）。基地局装置１０は、送信情報を端末装置１２に送信する（Ｓ１４０）。一方、端末装置１２は、受信情報を「０３１０＿１１００００＿３０．ｗａｖ」として生成する（Ｓ１４２）。端末装置１２は、送信情報と受信情報とに相違がないことを確認する（Ｓ１４４）。
【００４５】
図７は、通信システム１００による第４例の送信手順を示すシーケンス図である。これは、基地局装置１０からの音声信号を端末装置１２が受信する際に最初が切れている場合を示す。基地局装置１０は、「３月１０日１１時００分００秒」に音声信号の送信を開始する（Ｓ１６０）。基地局装置１０は、３０秒間にわたって音声信号を送信する（Ｓ１６２）。端末装置１２は、通信圏外である（Ｓ１６４）が、その後、２０秒間にわたって音声信号を受信する（Ｓ１６６）。
【００４６】
基地局装置１０は、音声信号を「０３１０＿１１００００＿３０．ｗａｖ」として記録する（Ｓ１６８）。また、端末装置１２は、音声信号を「０３１０＿１１００１０＿２０．ｗａｖ」として記録する（Ｓ１７０）。基地局装置１０は、送信情報を「０３１０＿１１００００＿３０．ｗａｖ」として生成する（Ｓ１７２）。基地局装置１０は、送信情報を端末装置１２に送信する（Ｓ１７４）。一方、端末装置１２は、受信情報を「０３１０＿１１００１０＿２０．ｗａｖ」として生成する（Ｓ１７６）。端末装置１２は、送信情報と受信情報とに相違があることを確認する（Ｓ１７８）。端末装置１２は、基地局装置１０に再送要求を送信する（Ｓ１８０）。
【００４７】
基地局装置１０は、再送要求を受信すると、記録した音声信号「０３１０＿１１００００＿３０．ｗａｖ」を再送し（Ｓ１８２）、送信を開始する（Ｓ１８４）。端末装置１２は、３０秒間にわたって音声信号を受信する（Ｓ１８６）。端末装置１２は、音声信号を「０３１０＿１１１０００＿３０．ｗａｖ」として記録し、これを「０３１０＿１１００００＿３０．ｗａｖ」にリネームする（Ｓ１８８）。基地局装置１０は、送信情報「０３１０＿１１００００＿３０．ｗａｖ」を取得する（Ｓ１９０）。基地局装置１０は、送信情報を端末装置１２に送信する（Ｓ１９２）。一方、端末装置１２は、受信情報を「０３１０＿１１００００＿３０．ｗａｖ」として生成する（Ｓ１９４）。端末装置１２は、送信情報と受信情報とに相違がないことを確認する（Ｓ１９６）。
【００４８】
図８は、通信システム１００による第５例の送信手順を示すシーケンス図である。これは、基地局装置１０からの音声信号を端末装置１２が受信する際に一部が途切れ、さらに別の音声信号を受信する場合を示す。基地局装置１０は、「３月１０日１１時００分００秒」に音声信号の送信を開始する（Ｓ２１０）。基地局装置１０は、１５秒間にわたって音声信号を送信する（Ｓ２１２）。端末装置１２は、１０秒間にわたって音声信号を受信する（Ｓ２１４）と通信圏外になる（Ｓ２１６）。端末装置１２は、音声信号を「０３１０＿１１００００＿１０．ｗａｖ」として記録する（Ｓ２１８）。端末装置１２は、受信情報を「０３１０＿１１００００＿１０．ｗａｖ」として生成するが、送信情報を受信しないので、受信情報を削除する（Ｓ２２０）。
【００４９】
基地局装置１０は、送信情報を「０３１０＿１１００００＿１５．ｗａｖ」として生成する（Ｓ２２２）。基地局装置１０は、送信情報を端末装置１２に送信する（Ｓ２２４）。この送信情報は端末装置１２に受信されない。基地局装置１０は、「３月１０日１１時００分２０秒」に音声信号の送信を開始する（Ｓ２２６）。基地局装置１０は、１０秒間にわたって音声信号を送信する（Ｓ２２８）。端末装置１２は、１０秒間にわたって音声信号を受信する（Ｓ２３０）。基地局装置１０は、音声信号を「０３１０＿１１００２０＿１０．ｗａｖ」として記録する（Ｓ２３２）。また、端末装置１２は、音声信号を「０３１０＿１１００２０＿１０．ｗａｖ」として記録する（Ｓ２３４）。基地局装置１０は、送信情報を「０３１０＿１１００００＿１５．ｗａｖ」、「０３１０＿１１００２０＿１０．ｗａｖ」として生成する（Ｓ２３６）。基地局装置１０は、送信情報を端末装置１２に送信する（Ｓ２３８）。一方、端末装置１２は、受信情報を「０３１０＿１１００２０＿１０．ｗａｖ」として生成する（Ｓ２４０）。端末装置１２は、送信情報と受信情報とに相違があることを確認する（Ｓ２４２）。端末装置１２は、基地局装置１０に再送要求を送信する（Ｓ２４４）。
【００５０】
基地局装置１０は、再送要求を受信すると、記録した音声信号「０３１０＿１１００００＿１５．ｗａｖ」を再送し（Ｓ２４６）、送信を開始する（Ｓ２４８）。端末装置１２は、１５秒間にわたって音声信号を受信する（Ｓ２５０）。端末装置１２は、音声信号を「０３１０＿１１１０００＿１５．ｗａｖ」として記録し、これを「０３１０＿１１００００＿１５．ｗａｖ」にリネームする（Ｓ２５２）。基地局装置１０は、送信情報「０３１０＿１１００００＿１５．ｗａｖ」を取得する（Ｓ２５４）。基地局装置１０は、送信情報を端末装置１２に送信する（Ｓ２５６）。一方、端末装置１２は、受信情報を「０３１０＿１１００００＿１５．ｗａｖ」として生成する（Ｓ２５８）。端末装置１２は、送信情報と受信情報とに相違がないことを確認する（Ｓ２６０）。
【００５１】
図９は、通信システム１００による第６例の送信手順を示すシーケンス図である。これは、基地局装置１０からの音声信号を端末装置１２が受信する際に一部が途切れ、さらに次の音声信号を途中から受信する場合を示す。基地局装置１０は、「３月１０日１１時００分００秒」に音声信号の送信を開始する（Ｓ２８０）。基地局装置１０は、１５秒間にわたって音声信号を送信する（Ｓ２８２）。端末装置１２は、１０秒間にわたって音声信号を受信する（Ｓ２８４）と通信圏外になる（Ｓ２８６）。端末装置１２は、音声信号を「０３１０＿１１００００＿１０．ｗａｖ」として記録する（Ｓ２８８）。端末装置１２は、受信情報を「０３１０＿１１００００＿１０．ｗａｖ」として生成するが、送信情報を受信しないので、受信情報を削除する（Ｓ２９０）。
【００５２】
基地局装置１０は、音声信号を「０３１０＿１１００００＿１５．ｗａｖ」として記録する（Ｓ２９２）。基地局装置１０は、送信情報を「０３１０＿１１００００＿１５．ｗａｖ」として生成する（Ｓ２９４）。基地局装置１０は、送信情報を端末装置１２に送信する（Ｓ２９６）。この送信情報は端末装置１２に受信されない。基地局装置１０は、「３月１０日１１時００分２０秒」に音声信号の送信を開始する（Ｓ２９８）。基地局装置１０は、２０秒間にわたって音声信号を送信する（Ｓ３００）。端末装置１２は、１０秒間にわたって音声信号を受信する（Ｓ３０２）。基地局装置１０は、音声信号を「０３１０＿１１００２０＿２０．ｗａｖ」として記録する（Ｓ３０４）。また、端末装置１２は、音声信号を「０３１０＿１１００３０＿１０．ｗａｖ」として記録する（Ｓ３０６）。
【００５３】
基地局装置１０は、送信情報を「０３１０＿１１００２０＿２０．ｗａｖ」、「０３１０＿１１００００＿１５．ｗａｖ」として生成する（Ｓ３０８）。基地局装置１０は、送信情報を端末装置１２に送信する（Ｓ３１０）。一方、端末装置１２は、受信情報を「０３１０＿１１００３０＿１０．ｗａｖ」として生成する（Ｓ３１２）。端末装置１２は、送信情報と受信情報とに相違があることを確認する（Ｓ３１４）。端末装置１２は、基地局装置１０に再送要求を送信する（Ｓ３１６）。
【００５４】
基地局装置１０は、再送要求を受信すると、記録した音声信号「０３１０＿１１００００＿１５．ｗａｖ」を再送し（Ｓ３１８）、送信を開始する（Ｓ３２０）。端末装置１２は、１５秒間にわたって音声信号を受信する（Ｓ３２２）。端末装置１２は、音声信号を「０３１０＿１１１０００＿１５．ｗａｖ」として記録し、これを「０３１０＿１１００００＿１５．ｗａｖ」にリネームする（Ｓ３２４）。基地局装置１０は、送信情報「０３１０＿１１００２０＿２０．ｗａｖ」、「０３１０＿１１００００＿１５．ｗａｖ」を取得する（Ｓ３２６）。基地局装置１０は、送信情報を端末装置１２に送信する（Ｓ３２８）。一方、端末装置１２は、受信情報を「０３１０＿１１００００＿１５．ｗａｖ」として生成する（Ｓ３３０）。端末装置１２は、送信情報と受信情報とに相違があることを確認する（Ｓ３３２）。端末装置１２は、基地局装置１０に再送要求を送信する（Ｓ３３４）。
【００５５】
基地局装置１０は、再送要求を受信すると、記録した音声信号「０３１０＿１１００２０＿２０．ｗａｖ」を再送し（Ｓ３３６）、送信を開始する（Ｓ３３８）。端末装置１２は、２０秒間にわたって音声信号を受信する（Ｓ３４０）。端末装置１２は、音声信号を「０３１０＿１１１０２０＿２０．ｗａｖ」として記録し、これを「０３１０＿１１００２０＿２０．ｗａｖ」にリネームする（Ｓ３４２）。基地局装置１０は、送信情報「０３１０＿１１００２０＿２０．ｗａｖ」を取得する（Ｓ３４４）。基地局装置１０は、送信情報を端末装置１２に送信する（Ｓ３４６）。一方、端末装置１２は、受信情報を「０３１０＿１１００２０＿２０．ｗａｖ」として生成する（Ｓ３４８）。端末装置１２は、送信情報と受信情報とに相違がないことを確認する（Ｓ３５０）。
【００５６】
図１０は、通信システム１００による第７例の送信手順を示すシーケンス図である。これは、基地局装置１０からの音声信号を端末装置１２が受信する際に一部が途切れ、それの再生中に別の音声信号を受信する場合を示す。基地局装置１０は、「３月１０日１１時００分００秒」に音声信号の送信を開始する（Ｓ３７０）。基地局装置１０は、３０秒間にわたって音声信号を送信する（Ｓ３７２）。端末装置１２は、通信圏外である（Ｓ３７４）。端末装置１２は、１０秒間にわたって音声信号を受信する（Ｓ３７６）。基地局装置１０は、音声信号を「０３１０＿１１００００＿３０．ｗａｖ」として記録する（Ｓ３７８）。
【００５７】
端末装置１２は、音声信号を「０３１０＿１１００２０＿１０．ｗａｖ」として記録する（Ｓ３８０）。基地局装置１０は、送信情報を「０３１０＿１１００００＿３０．ｗａｖ」として生成する（Ｓ３８２）。基地局装置１０は、送信情報を端末装置１２に送信する（Ｓ３８４）。端末装置１２は、受信情報を「０３１０＿１１００２０＿１０．ｗａｖ」として生成する（Ｓ３８６）。端末装置１２は、送信情報と受信情報とに相違があることを確認する（Ｓ３８８）。端末装置１２は、基地局装置１０に再送要求を送信する（Ｓ３９０）。
【００５８】
基地局装置１０は、再送要求を受信すると、記録した音声信号「０３１０＿１１００００＿３０．ｗａｖ」を再送し（Ｓ３９２）、送信を開始する（Ｓ３９４）。端末装置１２は、１０秒間にわたって音声信号を受信する（Ｓ３９６）。基地局装置１０は、再送を中止し（Ｓ３９８）、端末装置１２は、音声信号を「０３１０＿１１１０００＿１０．ｗａｖ」として記録する（Ｓ４００）。基地局装置１０は、「３月１０日１１時１０分００秒」に音声信号の送信を開始する（Ｓ４０２）。基地局装置１０は、２０秒間にわたって音声信号を送信する（Ｓ４０４）。
【００５９】
端末装置１２は、受信情報を「０３１０＿１１１０００＿１０．ｗａｖ」として生成するが、送信情報を受信しないので、受信情報を削除する（Ｓ４０６）。端末装置１２は、２０秒間にわたって音声信号を受信する（Ｓ４０８）。基地局装置１０は、音声信号を「０３１０＿１１１０１０＿２０．ｗａｖ」として記録する（Ｓ４１０）。端末装置１２は、音声信号を「０３１０＿１１１０１０＿２０．ｗａｖ」として記録する（Ｓ４１２）。基地局装置１０は、送信情報を端末装置１２に送信する（Ｓ４１４）。一方、端末装置１２は、受信情報を「０３１０＿１１１０１０＿２０．ｗａｖ」として生成する（Ｓ４１６）。端末装置１２は、送信情報と受信情報とに相違があることを確認する（Ｓ４１８）。端末装置１２は、基地局装置１０に再送要求を送信する（Ｓ４２０）。
【００６０】
基地局装置１０は、再送要求を受信すると、記録した音声信号「０３１０＿１１００００＿３０．ｗａｖ」を再送し（Ｓ４２２）、送信を開始する（Ｓ４２４）。端末装置１２は、３０秒間にわたって音声信号を受信する（Ｓ４２６）。端末装置１２は、音声信号を「０３１０＿１１２０００＿３０．ｗａｖ」として記録し、これを「０３１０＿１１００００＿３０．ｗａｖ」にリネームする（Ｓ４２８）。基地局装置１０は、送信情報「０３１０＿１１００００＿３０．ｗａｖ」を取得する（Ｓ４３０）。基地局装置１０は、送信情報を端末装置１２に送信する（Ｓ４３２）。一方、端末装置１２は、受信情報を「０３１０＿１１００００＿３０．ｗａｖ」として生成する（Ｓ４３４）。端末装置１２は、送信情報と受信情報とに相違がないことを確認する（Ｓ４３６）。
【００６１】
以上の構成による通信システム１００の動作を説明する。図１１は、基地局装置１０による送信手順を示すフローチャートである。再送開始でなく（Ｓ５００のＮ）、送信開始であり（Ｓ５０２のＹ）、再送中でない場合（Ｓ５０４のＮ）、送信部３０は、音声信号を送信する（Ｓ５１２）。記録部２４は、音声信号を記録する（Ｓ５１４）。通話終了でなければ（Ｓ５１６のＮ）、ステップ５１２に戻る。通話終了であれば（Ｓ５１６のＹ）、送信部３０は、送信を停止する（Ｓ５１８）。生成部２６は、送信情報を作成する（Ｓ５２０）。送信部３０は、送信情報を送信する（Ｓ５２４）。送信開始でなければ（Ｓ５０２のＮ）、処理が終了される。
【００６２】
再送開始である場合（Ｓ５００のＹ）、送信部３０は、音声信号を再送する（Ｓ５０２）。通話要求がなく（Ｓ５０８のＮ）、再送が終了していなければ（Ｓ５２２のＮ）、ステップ５０６に戻る。再送が終了していれば（Ｓ５２２のＹ）、ステップ５２４に進む。再送中である場合（Ｓ５０４のＹ）、あるいは通話要求がある場合（Ｓ５０８のＹ）、送信部３０は、再送を中止し（Ｓ５１０）、ステップ５１２に進む。
【００６３】
図１２は、端末装置１２による受信手順を示すフローチャートである。受信部５０が受信をしていなければ（Ｓ６００のＮ）、要求部４８は、周期的に送信情報を要求し（Ｓ６０２）、ステップ６００に戻る。受信部５０が受信をしており（Ｓ６００のＹ）、送信情報を受信していなければ（Ｓ６０４のＮ）、再生部４２は、音声信号を再生し（Ｓ６０６）、記録部４４は、音声信号を記録する（Ｓ６０８）。通話が終了していなければ（Ｓ６１０のＮ）、ステップ６０６に戻る。通話が終了すれば（Ｓ６１０のＹ）、生成部４６は、受信情報を作成する（Ｓ６１２）。送信情報を受信し（Ｓ６１４のＹ）、送信情報と受信情報とが一致していれば（Ｓ６１６のＹ）、処理が終了される。送信情報と受信情報とが一致していなければ（Ｓ６１６のＮ）、要求部４８は、再送要求を送信する（Ｓ６１８）。
送信情報を受信していなければ（Ｓ６１４のＮ）、記録部４４は、ファイルを削除し（Ｓ６２０）、要求部４８は、送信情報を要求する（Ｓ６２２）。送信情報を受信していれば（Ｓ６０４のＹ）、ステップ６０６から６１４がスキップされる。
【００６４】
本実施例によれば、音声信号と送信情報を送信し、送信情報と受信情報との比較結果に応じた再送要求を受信した場合に音声信号を再送するので、音声信号の再送を確実に実行できる。また、送信開始時刻と音声信号のサイズとをもとに送信情報を生成し、受信開始時刻と音声信号のサイズとをもとに受信情報を生成するので、送信情報と受信情報とを簡易に生成できる。また、送信情報と受信情報とが簡易に生成されるので、音声信号の再送を簡易に実行できる。また、音声信号と送信情報とを別々に送信するので、両方が受信失敗する確率を低減できる。また、音声信号と送信情報を受信し、送信情報と受信情報との比較結果に応じた再送要求を送信すると、音声信号が再送されるので、音声信号の再送を確実に実行できる。また、音声信号の品質がしきい値よりも良好である場合に、音声信号のサイズを取得するので、必要な場合にサイズを取得できる。
【００６５】
また、基地局装置に音声信号を記録するので、記録済みデータを利用できる。また、記録済みのデータが利用されるので、基地局装置のオペレータの負担を軽減しながら再送を実行できる。また、端末装置１２も音声信号を記録するので、受信したデータをいつでも参照できる。また、受信完了した場合でも、受信感度が低い場合は内容が不明瞭である可能性が大きいので、再受信して情報の明瞭度を向上できる。また、送信情報と受信情報を生成するので、既に発信された情報と受信できていない情報を検出できる。また、既に発信された情報と受信できていない情報が検出されるので、再送を自動化できる。また、基地局装置に周期的にポーリングを行って通信圏外から通信圏内への移動を認知し、送信情報と受信情報に差異があれば受信機会の喪失があったことを認知するので、音声信号の再受信によって受信機会の喪失を防止できる。
【００６６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６７】
本実施例において、通信システム１００は、業務用無線を使用している。しかしながらこれに限らず例えば、業務用無線以外の無線通信システムが使用されてもよい。本実施例によれば、構成の自由度を向上できる。
【００６８】
本実施例において、端末装置１２の要求部４８は、送信情報と受信情報とを比較し、再送を決定している。しかしながらこれに限らず例えば、端末装置１２は、受信情報を送信し、基地局装置１０は、送信情報と受信情報とを比較し、再送を決定してもよい。本変形例によれば、構成の自由度を向上できる。
【００６９】
本実施例において、基地局装置１０が音声信号の送信装置に相当し、端末装置１２が音声信号の受信装置に相当する。しかしながらこれに限らず例えば、端末装置１２が音声信号の送信装置に相当し、基地局装置１０が音声信号の受信装置に相当してもよい。また、１つの端末装置１２が音声信号の送信装置に相当し、別の端末装置１２が音声信号の受信装置に相当してもよい。本変形例によれば、構成の自由度を向上できる。
【符号の説明】
【００７０】
１０  基地局装置、  １２  端末装置、  ２０  入力部、  ２２  通信部、  ２４  記録部、  ２６  生成部、  ２８  受付部、  ３０  送信部、  ３２  受信部、  ４０  通信部、  ４２  再生部、  ４４  記録部、  ４６  生成部、  ４８  要求部、  ５０  受信部、  ５２  送信部、  １００  通信システム。
【図１】
2016225770.tif 000003
【図２】
2016225770.tif 000004
【図３】
2016225770.tif 000005
【図４】
2016225770.tif 000006
【図５】
2016225770.tif 000007
【図６】
2016225770.tif 000008
【図７】
2016225770.tif 000009
【図８】
2016225770.tif 000010
【図９】
2016225770.tif 000011
【図１０】
2016225770.tif 000012
【図１１】
2016225770.tif 000013
【図１２】
2016225770.tif 000014